(57)【要約】【課題】非接触式トークン（トークン）に広告を付したときの管理を効率よく行えるようにする。【解決手段】非接触式トークンの本体のメモリに記憶されているデータを読取る読取手段と、読取られたデータ中から前記非接触式トークンの本体に設けられている広告に係るデータを抽出する抽出手段と、抽出されたデータに基づいて広告を管理する管理手段とを有することを特徴とする。【選択図】　　　図２
2004110661.tif 000002
【特許請求の範囲】
【請求項１】
非接触式トークンの本体のメモリにその非接触式トークンの本体に設けられている広告に係るデータを記憶する広告データ記憶部を設けたことを特徴とする非接触式トークン。
【請求項２】
請求項１に記載の非接触式トークンにおいて、広告に係るデータは、広告主、広告の内容又は広告期間であることを特徴とする非接触式トークン。
【請求項３】
非接触式トークンの本体のメモリに記憶されているデータを読取る読取手段と、
読取られたデータ中から前記非接触式トークンの本体に設けられている広告に係るデータを抽出する抽出手段と、
抽出されたデータに基づいて広告を管理する管理手段と、
からなることを特徴とする非接触式トークンの管理システム。
【請求項４】
請求項３に記載の非接触式トークンの管理システムにおいて、広告の管理は、非接触式トークン処理機を管理するサーバにおいて行うことを特徴とする非接触式トークンの管理システム。
【請求項５】
請求項３又は４に記載の非接触式トークンの管理システムにおいて、抽出された広告に係るデータの広告期間の経過した非接触式トークンの本体は、トークン発行機又は非接触式自動精算機からの発行を禁止することを特徴とする非接触式トークンの管理システム。
【請求項６】
請求項３又は４に記載の非接触式トークンの管理システムにおいて、抽出された広告に係るデータの広告期間の経過した非接触式トークンの本体は、自動改札機に投入されたときに他の非接触式トークンの本体と区別して回収することを特徴とする非接触式トークンの管理システム。
【発明の詳細な説明】
【０００１】
【発明の属する技術分野】
本発明は、非接触式自動改札機で使用される非接触式トークン及びその非接触式トークンの管理システムに関する。
【０００２】
【従来の技術】
近年、利用者（旅客）の利便性を高めるために、乗車券を自動改札機に投入することなく、非接触式に自動改札が行える非接触式自動改札機が使用されている（例えば、特開平１−２４６６８７号公報）。このような非接触式自動改札機で用いられる非接触式乗車券は、無線通信機能を備えたＩＣカードから構成された非接触券である。そして、この非接触券と非接触式自動改札機の本体との間では、非接触でデータの授受が行われて入出場（本発明で「入出場」というときは、「入場」又は「出場」を意味している。）処理が行われるように構成されている。
【０００３】
この非接触券は、無線通信機能を備えたＩＣカードからなるので、磁気券に比べて製造コストが高く、したがって、１回限りの普通券や一日乗車券、あるいは回数券等の比較的短期間のうちに使用される短期使用券を非接触券とした場合は、運用コストがかさんで現実的でなくなるという問題点を含んでいる。そこで、本出願人は、上述の問題点を解決するために、特願２００１−２７００号等において、短期使用券をコイン状の非接触式トークン（以下、「トークン」という。）とし、繰返し使用できる改札処理システムを提案している。
【０００４】
図３は、上記提案に係る改札処理システムで用いられるトークン処理機の制御器及びトークンの電気的構成を示すブロック図である。すなわち、非接触式自動改札機、トークン発行機、あるいは非接触式自動精算機等の非接触式トークン処理機（以下、トークン処理機として説明する。）に設けられている制御器５０のＣＰＵ５１は、ＲＯＭ５２に記憶されているシステムプログラム及びＲＡＭ５３に記憶されているワーキングデータを用いて演算処理を行って、そのトークン処理機を統括的に制御できるように構成されている。そして、このＣＰＵ５１には、Ｉ／Ｏユニット５４を介して各種の制御動作を行う処理ユニット５５が接続されている。この処理ユニット５５は、例えば、トークン処理機が非接触式自動改札機の場合は、ドアを駆動制御するドア駆動ユニット等が設けられ、また、非接触式自動精算機の場合は、トークンＴを精算原券として精算処理する精算処理ユニット等が設けられ、さらに、トークン発行機の場合は、トークンＴに所定のトークンデータを記録して発行する発行ユニット等が設けられる。リーダライタＲには、トークンＴと交信を行うためのアンテナａが接続されている。このアンテナａは、トークンＴとデータ授受を行う機能と、そのトークンＴに電力を供給する機能とが備えられている。
【０００５】
トークンＴは、無線通信機能を有するＩＣカードと同様に構成されている。すなわち、このトークンの本体（トークンの本体を含めてトークンとして説明することもある。）Ｔには、アンテナＡと、トークン処理機側と交信するための通信制御部６０と、その通信制御部６０とＩ／Ｏユニット６１を介して接続されているＣＰＵ６２と、システムプログラムや乗車券データ等の所定のトークンデータの記録されているメモリ６３と、トークン処理機からの電力波をアンテナＡを介して受信し、トークンＴの駆動電力を生成する電力生成回路６４とを有している。
【０００６】
上記構成のトークンＴにおいて、トークン処理機が非接触式自動改札機の場合、そのトークンＴを用いて入出場を行うときは、そのトークンＴと非接触式自動改札機との間で、非接触でデータ授受が行われて、入出場処理が行われる。そして、出場時において、トークンＴを利用者に返却する必要がないときは、非接触式自動改札機内に回収される。回収されたトークンＴは、トークン発行機にセットされて再利用（再使用）が図られる。
【０００７】
また、このトークンＴは、繰返し使用され、しかも、その使用毎に利用者が異なるので、トークンＴを広告の媒体として使用したいという希望があった。このため、本出願人は、先に、特願２００１−３３３６９３号において、広告を容易に行えるようにしたトークンを提案している。図４（ａ），（ｂ）には、その提案に係るトークンの一例が示されている。すなわち、図４（ａ）は、広告を設けたトークンＴの正面図、同図（ｂ）は、その裏面図である。
【０００８】
このトークンＴは、コイン状のトークン本体ｔ１　と、そのトークン本体ｔ１　を包むケース（カバー）１とから構成されている。このトークン本体ｔ１　の一方の面（図４（ａ）では正面）には、そのトークンが所定の鉄道会社に係るものであることを示す文字が刻印等により印字されている。そして、ケース１の裏面には、広告記載部２に形成されていて、ここに所定の広告が刻印等により印字されている（図４（ｂ）参照）。
【０００９】
ケース１は、トークン本体ｔ１　の側面周囲及び底面を覆う上部開口の扁平な筒を呈しており、その内部の周側壁の複数箇所に所定の間隔を保ってトークン本体１を係止するための複数の係止片が設けられている。また、このケース１の底面の中央部には、ケース１に嵌入されたトークン本体ｔ１　を外すための孔４が設けられている。したがって、ケース１を交換することにより広告の内容を変更することができる。
【００１０】
【発明が解決しようとする課題】
しかしながら、上述のように、トークンを広告媒体として使用した場合、広告期間（広告期限）の経過したトークンを回収したり、広告として実際に流通しているトークン数を把握して広告の効果の調査を行ったり、広告媒体となっているトークンを管理する必要があった。
【００１１】
そこで、本発明は、上記要望に応えるためになされたものであって、その目的は、広告管理の容易なトークン及びそのトークンの管理システムを提供することにある。
【００１２】
【課題を解決するための手段】
本発明に係るトークンは、上記目的を達成するために、請求項１に記載の発明は、トークンの本体のメモリにそのトークンの本体に設けられている広告に係るデータを記憶する広告データ記憶部を設けたことを特徴としている。
本発明の請求項２に記載のトークンは、広告に係るデータは、広告主、広告の内容又は広告期間であることを特徴としている。
【００１３】
本発明に係るトークンの管理システムは、上記目的を達成するために、請求項３に記載の発明は、トークンの本体のメモリに記憶されているデータを読取る読取手段と、読取られたデータ中から前記トークンの本体に設けられている広告に係るデータを抽出する抽出手段と、抽出されたデータに基づいて広告を管理する管理手段と、からなることを特徴としている。
本発明の請求項４に記載のトークンの管理システムは、広告の管理は、トークン処理機を管理するサーバにおいて行うことを特徴としている。
本発明の請求項５に記載のトークンの管理システムは、抽出された広告に係るデータの広告期間（広告期限）の経過したトークンの本体は、トークン発行機又は非接触式自動精算機からの発行を禁止することを特徴としている。
本発明の請求項６に記載のトークンの管理システムは、抽出された広告に係るデータの広告期間（広告期限）の経過したトークンの本体は、自動改札機に投入されたときに他のトークンの本体と区別して回収することを特徴としている。
【００１４】
【発明の実施の形態】
以下、本発明の実施の形態を図面に基づいて説明する。図１は、一実施の形態に係るトークンの電気的構成を示すブロック図である。なお、上記図３のトークンＴと同一構成要素には同一符号を用いている。これら同一符号については説明が重複するため省略する。
【００１５】
トークンＴのメモリ６３には、トークンＴのＩＤ（識別情報）やトークンＴの乗車券としての所定の情報であるトークンデータを記憶するトークンデータ記憶部６３ａ以外に、トークンＴの広告に係るデータが記憶されている。すなわち、広告主データ記憶部６３ｂには、トークンＴに広告を掲載している広告主を示す所定のデータが記憶され、また、広告期限データ記憶部６３ｃには、トークンＴに広告を掲載する期限を示す所定のデータが記憶されている。このデータとしては、広告を行う広告期間でもよく、又は広告の最終日の期日であってもよい。
【００１６】
なお、トークンＴの広告に係るデータとしては、上述の他に広告の内容を示す所定のデータやその他のデータであってもよい。これらデータは、広告を管理する上で必要なときにメモリ６３に記憶される。
【００１７】
トークンＴの外形形状は、図４（ａ），（ｂ）に示されるとおりであり、また、非接触式自動改札機、非接触式自動精算機又はトークン発行機等のトークン処理機は、上記図３を用いて説明したものと同じなので、これ以上の説明は省略する。
【００１８】
なお、図３を用いた説明では省略されているが、制御器５０は、図示しない通信制御部を介して鉄道会社の本社等の所定の中央に設けられているホストコンピュータからなるサーバ（図示せず）に接続されていて、トークン処理機は、そのサーバにより統括的に管理制御されている。
【００１９】
例えば、トークン処理機が非接触式自動改札機の場合、トークンＴを用いて非接触式自動改札機で入出場が行われた際、一つの入場又は一つの出場に伴う一件明細データがサーバに送出されて管理され、トークン処理機が非接触式自動精算機の場合、トークンＴを用いてその非接触式自動精算機で精算処理される際の１件明細データもサーバに送出されて管理され、トークン処理機がトークン発行機の場合、そのトークン発行機からトークンが発行される際の１件明細データもサーバに送出されて管理されるように構成されている。
【００２０】
以下、図２（ａ）〜（ｃ）のフローチャートを用いて制御動作について説明する。図２（ａ）は、トークン処理機が非接触式自動改札機の場合のトークンの制御動作を示している。先ず、トークンＴを用いた利用者が出場する際、非接触式自動改札機の図示しないトークン投入口にトークンＴが投入されると、その非接触式自動改札機の制御器（図３の制御器５０参照）によりトークンＴに記憶されているデータが読取られる（ステップ１００肯定、ステップ１０２。以下、ステップを「Ｓ」とする。）。
【００２１】
制御器のＣＰＵ（図３のＣＰＵ５１参照）により読み取られたデータを基に出場用の所定の演算処理が行われ、その演算処理の結果、出場が許可できるときは、（Ｓ１０４肯定）、投入されたトークンＴは非接触式自動改札機内に回収されるとともに、ドアが開かれて（非接触式自動改札機がノーマルオープン型のときはそのまま）、利用者の改札通路の通過が許可される（Ｓ１０６）。上述の演算処理の結果、出場を許可できないときは（Ｓ１０４否定）、ドアが閉じられて改札通路の通過が阻止されるとともに、図示しない表示画面やスピーカを介して精算処理等の案内が行われる。
【００２２】
出場が許可されて非接触式自動改札機内に回収されたトークンＴは、そのトークンＴの広告期限データ記憶部６３ｃに記憶されているデータに基づいて、広告内容を変更するために回収する回収箱（図示せず）と、トークン発行機にセットして再使用するために回収する再使用回収箱（図示せず）とに分別して回収される。すなわち、トークンＴから読取られたデータ中の広告期限を示すデータが回収時点において経過しているときは、回収箱に回収され（Ｓ１０８肯定、Ｓ１１０）、その広告期限がまだ到来していないときは、再使用回収箱に回収される（Ｓ１０８否定、Ｓ１０９）。
【００２３】
回収箱に回収されたトークンＴは、新たな広告が付されてトークン発行機にセットされて再使用され、また、再使用回収箱に回収されたトークンＴは、トークン発行機にそのままセットされて再使用される。
【００２４】
なお、上述の例では、回収箱又は再使用回収箱への分別回収は、広告期限データ記憶部６３ｃに記憶されているデータに基づいて行ったが、広告主データ記憶部６３ｂに基づいて行うようにしてもよく、また、メモリ６３に広告の内容を示す所定のデータが記憶されているときは、その内容を示す所定のデータに基づいて行うようにしてもよい。
【００２５】
さらに、上述の回収箱又は再使用回収箱への分別回収は、非接触式自動改札機の制御器の判断により行ったが、トークンＴを用いる非接触式自動改札機システムは、入出場処理が中央に設けられているホストコンピュータからなるサーバで管理されているので、非接触式自動改札機で読取られたデータをサーバで解析して回収箱へ回収すべきか、又は再使用回収箱へ回収すべきかを判断するようにしてもよい。このようにサーバで判断できるようにしたときは、トークンＴのトークンデータ記憶部６３ａに記憶されているトークンＴのＩＤによっても分別回収することができる。なぜならば、トークンＴは、１枚毎サーバにより管理されており、どのトークンにどのような広告が掲載されているかが把握されているからである。このため、サーバでは、非接触式自動改札機、トークン発行機又は非接触式自動精算機等のトークン処理機で処理される毎にトークンＴの流動状態（使用状態）を把握することが可能で、トークンＴを介して広告がどの程度行われているかを適確に把握することもできる。
【００２６】
図２は、トークンＴがトークン発行機から発行される際の制御動作を示している。トークン発行機の図示しない口座釦が押下され、かつ、その押下された口座釦の金額を満たす金銭（プリペイドカード等のカード類も含む）がトークン発行機に投入されると、図示しないホッパから１枚のトークンＴが繰出される。そして、その繰出されたトークンＴのトークンデータ記憶部６３ａに押下された口座釦に対応した所定のデータ（乗車券データ）が記憶されて（書込まれて）排出口（図示せず）への排出が開示される（Ｓ２００肯定）。この排出に当っては、トークンＴに予め記憶されているデータの読取りが行われるとともに、上述のデータが書き込まれたときは、その書込まれたデータのチェックのための読取りが行われるので（Ｓ２０２）、その読取りの際、トークンＴの広告期限データ記憶部６３ｃに記憶されているデータも読取られる。
【００２７】
この読取りにおいて得られたデータを基にして制御器のＣＰＵ（図３参照）の演算処理の結果、また、広告の期限が到来していないと判断されたときは（Ｓ２０４否定）、排出口へ排出されて利用者へ渡される。しかし、その演算処理の結果、既に広告の期限が経過していると判定されたとき（Ｓ２０４肯定）、そのトークンＴは、排出口に排出されることなく回収箱（図示せず）に回収され、ホッパから新たなトークンＴが繰出されて上述のデータ書込み及び読取処理が同様に行われる（Ｓ２０５）。回収箱に回収されたトークンＴは、新たな広告が付されてトークン発行機にセットされて再使用される。
【００２８】
なお、このトークン発行機における排出口へ排出しての発行又は回収箱への回収の分別は、上述の非接触式自動改札機の場合と同様に、広告主のデータや広告の内容のデータ等に基づいて行ってもよく、または、サーバの管理の下に行ってもよい。
【００２９】
図２（ｃ）は、非接触式自動精算機におけるトークンＴの制御動作を示している。すなわち、乗越しに係るトークンＴが図示しない非接触式自動精算機のトークン投入口に投入されると（Ｓ３００肯定）、そのトークンＴに記憶されているデータが読取られて（Ｓ３０２）制御器のＣＰＵ（図３のＣＰＵ５１参照）により不足運賃（精算額）が算出される。このデータの読取りにおいて、トークンＴの広告期限データ記憶部６３ｃに記憶されているデータも読み取られるので、その広告の期限が未だ到来していないとき（Ｓ３０４否定）、投入されたトークンＴには、精算料金を非接触式自動精算機に投入したことを条件に所定の精算済データが書込こまれて排出口へ返却される（Ｓ３０６）。したがって、利用者は、その返却されたトークンＴを用いて出場することができる。
【００３０】
トークン投入口に投入されたトークンＴの広告の期限が既に経過しているときは（Ｓ３０４肯定）、そのトークンＴは回収箱（図示せず）に回収され、図示しないホッパから新たなトークンＴが繰出されて上述と同様の精算処理が行われる（Ｓ３０５）。回収箱に回収されたトークンＴは、新たな広告が付されてトークン発行機にセットされて再使用される。
【００３１】
なお、非接触式自動精算機における排出口へ排出しての精算処理又は回収箱への回収分別は、上述の非接触式自動改札機の場合と同様に、広告主のデータや広告の内容のデータ等に基づいて行ってもよく、または、サーバの管理の下に行ってもよい。
【００３２】
上述の広告期限（広告期間）を経過したトークンＴの回収は、非接触式自動改札機又はトークン発行機のいずれかのみで行い、また、非接触式自動精算機での回収を省略してもよい。しかし、トークンＴが１日券としてだけでなく、回数券としても使用されるように運用されている場合、非接触式自動改札機とトークン発行機の両方で回収できるようにすると回収効率を高めることができ、さらに、非接触式自動精算機でも回収できるようにすると、より回収効率を高めることができる。
【００３３】
【発明の効果】
本発明の請求項１に記載のトークンは、トークンの本体のメモリにそのトークンの本体に設けられている広告に係るデータを記憶する広告データ記憶部を設けるので、広告データを用いてトークンを管理することができる。
本発明の請求項２に記載のトークンは、広告に係るデータは、広告主、広告の内容又は広告期間（広告期限）であるので、広告主、広告の内容又は広告の期間（期限）を用いて効率よくトークンの広告を管理することができる。
【００３４】
本発明の請求項３に記載のトークン管理システムは、トークンの本体のメモリに記憶されているデータを読取る読取手段と、読取られたデータ中から前記トークンの本体に設けられている広告に係るデータを抽出する抽出手段と、抽出されたデータに基づいて広告を管理する管理手段とからなるので、広告データを用いてトークンに付されている広告を管理することができる。
本発明の請求項４に記載のトークン管理システムは、広告の管理は、トークン処理機を管理するサーバにおいて行うので、サーバにおいて統括的に広告を管理することができる。
本発明の請求項５に記載のトークン管理システムは、抽出された広告に係るデータの広告期間（広告期限）の経過したトークンの本体は、トークン発行機又は非接触式自動精算機からの発行を禁止するので、広告の期間の経過したトークンの流通を効果的に防止することができる。
本発明の請求項６に記載のトークン管理システムは、抽出された広告に係るデータの広告期間（広告期限）の経過したトークンの本体は、自動改札機に投入されたときに他のトークンの本体と区別して回収するので、再使用されるトークンと回収するトークンとを区別でき、その後の処理を容易にすることができる。
【図面の簡単な説明】
【図１】トークンの電気的構成を示すブロック図である。
【図２】制御動作を示すフローチャートである。
【図３】従来のトークン処理機の制御器及びトークンの電気的構成を示すブロック図である。
【図４】（ａ）は従来のトークンの正面図、（ｂ）は、その裏面図である。
【符号の説明】
Ｔ　非接触式トークン（トークン）
ｔ１　　トークンの本体（トークン本体）
１　ケース
２　広告記載部
５０　制御部
６３　メモリ
６３ｂ　広告主データ記憶部
６３ｃ　広告期限データ記憶部
【図１】
2004110661.tif 000003
【図２】
2004110661.tif 000004
【図３】
2004110661.tif 000005
【図４】
2004110661.tif 000006